(57)【要約】【課題】  レンジフードなどの枠体にフィルターを取り付けるフィルター取付具が、油煙や埃などで汚れることを軽減ないしは防止することができ、フィルター交換の作業性を向上することができるフィルター取付方法、フィルター装置及びフィルター取付具を提供する。【解決手段】  柔軟性を有するシート状のフィルター４を、レンジフード２と、レンジフード２に磁力で固定されるフィルター取付具５との間に挟んで取り付けるフィルター取付方法において、フィルター４をレンジフード２に位置合わせした状態に宛がい、レンジフード２とフィルター取付具５との間でフィルター４の端部４ａをはみ出させた状態でフィルター４をフィルター取付具５によりレンジフードに固定した後、端部４ａをフィルター取付具５の上側にＵターン状に折り返してフィルター取付具５に保持させる。【選択図】      図１
2006250428.tif 000002
【特許請求の範囲】
【請求項１】
柔軟性を有するシート状のフィルターを、磁性体としての枠体と、該枠体に磁力で固定されるフィルター取付具との間に挟んで該枠体に取り付けるフィルター取付方法において、
前記フィルターを前記枠体に位置合わせした状態に宛がい、前記枠体と前記フィルター取付具との間で前記フィルターの端部をはみ出させた状態で前記フィルターを前記フィルター取付具により前記枠体に固定した後、前記端部を前記フィルター取付具の上側にＵターン状に折り返して前記フィルター取付具に保持させることを特徴とするフィルター取付方法。
【請求項２】
柔軟性を有するシート状のフィルターと、
該フィルターが取り付けられる磁性体としての枠体と、
該枠体との間に前記フィルターの周囲を挟み、該枠体に磁力で固定されるフィルター取付具と、を備えたフィルター装置において、
前記フィルター取付具の外面に、前記枠体と前記フィルター取付具との間からはみ出して前記フィルター取付具を覆うようにＵターン状に折り返された前記フィルターの端部を、突き通して保持するピン状保持部が設けられたことを特徴とするフィルター装置。
【請求項３】
前記ピン状保持部に前記端部を抜け止めする係止部が設けられたことを特徴とする請求項２記載のフィルター装置。
【請求項４】
磁性体としての枠体に固定される磁石と、
平坦な基部に交差して続き、該基部の両側が同方向に折り曲げられた一対の折曲片を有し、該一対の折曲片の間で前記磁石を狭持するカバー体とを備え、柔軟性を有するシート状のフィルターを前記枠体に取り付けるフィルター取付具において、
前記基部の板面に、前記一対の折曲片が折り曲げられた方向とは反対側の方向に直立姿勢で突設されたピン状保持部が設けられ、該ピン状保持部が、前記カバー体を覆うように上側にＵターン状に折り返された前記フィルターの端部を突き通して保持することを特徴とするフィルター取付具。
【請求項５】
前記ピン状保持部に、前記端部を抜け止めする係止部が設けられたことを特徴とする請求項４記載のフィルター取付具。
【請求項６】
前記係止部が、凸部又は凹部であることを特徴とする請求項５記載のフィルター取付具。
【請求項７】
前記一対の折曲片は可撓性を有し、前記磁石を幅方向両側から弾性的に狭持することを特徴とする請求項４〜請求項６のいずれか１項に記載のフィルター取付具。
【請求項８】
前記一対の折曲片は、前記基部の板面に対して平行な方向である前記磁石の挿入方向で一端から他端に向かって、該一対の折曲片の対向する間隔が狭持される前記磁石の幅寸法より漸次狭くなっていることを特徴とする請求項４〜請求項７のいずれか１項に記載のフィルター取付具。
【請求項９】
前記一対の折曲片の内面に、内向きに突出し、前記磁石の側面に食い込む突起が設けられたことを特徴とする請求項４〜８のいずれか１項に記載のフィルター取付具。
【発明の詳細な説明】
【技術分野】
【０００１】
本発明は、油煙、塵、埃、水蒸気等を付着させるフィルターを、内側に空気吸入口を有するレンジフードや換気扇等の枠体に取り付けるためのフィルター取付方法、フィルター装置及びフィルター取付具に関するものである。
【背景技術】
【０００２】
従来、フィルターをレンジフードなどの枠体に取り付けるためのフィルター取付方法として、空気吸入口としての枠内を覆うように所定の寸法に裁断された使い捨て用フィルターを、フィルター取付用磁石などのフィルター取付具と枠体との間で挟み、交換可能に取り付けるものがあった（例えば、特許文献１）。
【０００３】
図７に示すように、フィルター２０は、枠体としてのレンジフード２１に、その前面の空気吸入口２１ａを覆うように宛がわれ、フィルター２０の周囲がフィルター取付具としてのマグネットホルダ２２でレンジフード２１に固定されるようになっている。油煙や埃が付着したフィルター２０を交換する際は、マグネットホルダ２２を外してフィルター２０を取り除き、新しいフィルターを所定位置に宛がい、マグネットホルダ２２により再度固定する。
【０００４】
また、特許文献１では、図示しないが、鉤状突起を有する基盤を磁力で枠体に固定し、この基盤を覆うようにしてフィルターを枠体に宛がい、フィルターを鉤状突起に直接引っ掛けて取り付ける取付方法も開示されている。
【０００５】
フィルター装置の従来の一例として、レンジフードの空気吸入口を覆うシート状のフィルターと、フィルター取付具としてのマグネットホルダとからなるものがある（例えば、特許文献２）。図８に示すように、マグネットホルダ３２は、磁石３３に鉄製缶３４を介して把手３５ａを有する合成樹脂部材３５が接着剤で固定されたものである。マグネットホルダ３２の把手３５ａは、マグネットホルダ３２を指で摘み易くするために設けられたものである。
【０００６】
【特許文献１】特開平３−２２９６０８号公報（第２頁、第２図）
【特許文献２】特開平４−１３１１１３号公報（第２−３頁、第１図）
【発明の開示】
【発明が解決しようとする課題】
【０００７】
フィルター２０，３１は油などが付着して汚れが酷くなった場合に廃棄されるものであるのに対し、フィルター２０，３１の外側に露出するマグネットホルダ２２，３２はフィルター２０，３１が廃棄された後も再利用されるものであるため、油などが付着して汚れが酷くなった場合には、洗浄しなければならず、フィルター２０，３１の交換に余計な手間がかかるという問題があった。
【０００８】
鉤状突起を有する基盤を用いる方法では、基盤がフィルターで覆われる格好になるため、基盤の油汚れなどが軽減されるものであるが、その一方で、フィルターを鉤状突起に引っ掛けて取り付けるものであるため、フィルターの展張りが不充分な時はフィルターが鉤状突起から外れやすく、殊に、フィルターに油などが付着して重くなった場合に、不用意に外れる心配があった。
【０００９】
また、フィルター装置３０のマグネットホルダ３２は、磁石３３と鉄製缶３４、鉄製缶３４と把手３５ａを有する合成樹脂部材３５とが接着剤にて固定されたものであるため、マグネットホルダ３２の製作中に接着剤が硬化するまで待機しなければならず、マグネットホルダ３２の製作に時間が掛かり、作業性が良くないという問題があった。その一方で、硬化時間を短くするために、瞬間接着剤を使用した場合は、磁石３３と鉄製缶３４の位置合わせや鉄製缶３４と合成樹脂部材３５の位置合わせを短時間で正確に行わなければならず、位置合わせをし損じる心配があった。瞬間接着剤は接着力が強いため、位置合わせをし損じた場合は修復できず、マグネットホルダ３２を不良品として廃棄しなければならなかった。マグネットホルダ３２の廃棄は、磁石３３や合成樹脂部材３５が無駄になるばかりでなく、高価である瞬間接着剤も無駄になるという問題があった。
【００１０】
本発明は、レンジフードなどの枠体にフィルターを取り付けるフィルター取付具が、接着剤を使用せず安価に製作する事が可能で、油煙や埃などで汚れることを軽減ないしは防止することができ、フィルター交換の作業性を向上することができるフィルター取付方法、フィルター装置及びフィルター取付具を提供することを目的とする。
【課題を解決するための手段】
【００１１】
上記目的を達成するために、請求項１記載のフィルター取付方法は、柔軟性を有するシート状のフィルターを、磁性体としての枠体と、該枠体に磁力で固定されるフィルター取付具との間に挟んで該枠体に取り付けるフィルター取付方法において、前記フィルターを前記枠体に位置合わせした状態に宛がい、前記枠体と前記フィルター取付具との間で前記フィルターの端部をはみ出させた状態で前記フィルターを前記フィルター取付具により前記枠体に固定した後、前記端部を前記フィルター取付具の上側にＵターン状に折り返して前記フィルター取付具に保持させることを特徴とする。
【００１２】
また、請求項２記載のフィルター装置は、柔軟性を有するシート状のフィルターと、該フィルターが取り付けられる磁性体としての枠体と、該枠体との間に前記フィルターの周囲を挟み、該枠体に磁力で固定されるフィルター取付具と、を備えたフィルター装置において、前記フィルター取付具の外面に、前記枠体と前記フィルター取付具との間からはみ出して前記フィルター取付具を覆うようにＵターン状に折り返された前記フィルターの端部を、突き通して保持するピン状保持部が設けられたことを特徴とする。
【００１３】
また、請求項３記載の発明は、請求項２記載のフィルター装置において、前記ピン状保持部に前記端部を抜け止めする係止部が設けられたことを特徴とする。
【００１４】
また、請求項４記載のフィルター取付具は、磁性体としての枠体に固定される磁石と、平坦な基部に交差して続き、該基部の両側が同方向に折り曲げられた一対の折曲片を有し、該一対の折曲片の間で前記磁石を狭持するカバー体とを備え、柔軟性を有するシート状のフィルターを前記枠体に取り付けるフィルター取付具において、前記基部の板面に、前記一対の折曲片が折り曲げられた方向とは反対側の方向に直立姿勢で突設されたピン状保持部が設けられ、該ピン状保持部が、前記カバー体を覆うように上側にＵターン状に折り返された前記フィルターの端部を突き通して保持することを特徴とする。
【００１５】
また、請求項５記載の発明は、請求項４記載のフィルター取付具において、前記ピン状保持部に、前記端部を抜け止めする係止部が設けられたことを特徴とする。
【００１６】
また、請求項６記載の発明は、請求項５記載のフィルター取付具において、前記係止部が、凸部又は凹部であることを特徴とする。
【００１７】
また、請求項７記載の発明は、請求項４〜請求項６のいずれか１項に記載のフィルター取付具において、前記一対の折曲片は可撓性を有し、前記磁石を幅方向両側から弾性的に狭持することを特徴とする。
【００１８】
また、請求項８記載の発明は、請求項４〜請求項７のいずれか１項に記載のフィルター取付具において、前記一対の折曲片は、前記基部の板面に対して平行な方向である前記磁石の挿入方向で一端から他端に向かって、該一対の折曲片の対向する間隔が狭持される前記磁石の幅寸法より漸次狭くなっていることを特徴とする。
【００１９】
また、請求項９記載の発明は、請求項４〜８のいずれか１項に記載のフィルター取付具において、前記一対の折曲片の内面に、内向きに突出し、前記磁石の側面に食い込む突起が設けられたことを特徴とする。
【発明の効果】
【００２０】
以上の如く、請求項１記載の発明によれば、フィルターは枠体にフィルター取付具の磁力で取り付けられるから、フィルターを確実かつ容易に取り付けることができるとともに、枠体からフィルターを容易に取り外すことができる。また、フィルターの端部は、フィルター取付具の上側にＵターン状に折り返されてフィルター取付具に保持されるから、フィルター取付具の外面をフィルターの端部で覆うことができる。したがって、フィルター取付具に油などが付着することが防止でき、フィルター交換の作業性が向上する。
【００２１】
また、請求項２記載の発明によれば、フィルター取付具にはフィルターの端部を保持するピン状保持部が設けられているから、フィルターの端部でフィルター取付具の外面を覆うことができる。したがって、フィルター取付具に油などが付着することが防止でき、フィルター交換の作業性が向上する。
【００２２】
また、請求項３記載の発明によれば、ピン状保持部に係止部が設けられているから、柔軟性を有するフィルターのＵターン状に折り返された端部が自身の弾性復元力でピンから抜け出し、元形状に復元することが防止される。したがって、フィルター取付具を確実に覆うことができる。
【００２３】
また、請求項４記載の発明によれば、基部の板面に対して直立姿勢で突設されたピン状保持部が、カバー体を覆うように上側にＵターン状に折り返されたフィルターの端部を突き通して保持するから、フィルター取付具がフィルターの端部で覆われる。したがって、フィルター取付具に油などが付着することが防止でき、フィルター交換の作業性が向上する。
【００２４】
また、請求項５記載の発明によれば、ピン状保持部に係止部が設けられているから、Ｕターン状に折り返されたフィルターの端部が自身の弾性復元力でピンから抜け出し、元形状に復元することが防止される。したがって、フィルター取付具を確実に覆うことができる。
【００２５】
また、請求項６記載の発明によれば、係止部が凸部又は凹部であるから、ピンにこれらの係止部を容易に形成することができるとともに、フィルターの端部の引っ掛かりを良くすることができる。
【００２６】
また、請求項７記載の発明によれば、磁石は、相対向する一対の折曲片を根元側を支点として外向きに弾性変形させた状態でカバー体に取り付けられ、一対の折曲片が元形状に弾性復元する際に生じるばね力で狭持される。したがって、カバー体と磁石を着脱可能に取り付け／取り外すことができ、フィルター取付具の製作作業性が向上する。
【００２７】
また、請求項８記載の発明によれば、一対の折曲片は、磁石の挿入方向である一端から他端に掛けて、一対の折曲片の対向する間隔が狭持される磁石の幅寸法より漸次狭くなっているから、一対の折曲片のばね力により、一対の折曲片の内面と磁石の側面とを広い面積で接触させることができ、磁石とベース部分の保持力を強くすることができる。したがって、カバー体を磁石に、より強く固定することができる。また、カバー体の挿入端側から磁石をスライド挿入し易くなり、フィルター保持具の製作が容易になる。
【００２８】
また、請求項９記載の発明によれば、突起が、磁石の側面に食い込むことで、一対の折曲片の間に狭持された磁石を確実に抜け止めすることができる。
【発明を実施するための最良の形態】
【００２９】
以下に本発明の実施の形態の具体例を図面を用いて詳細に説明する。図１は、本発明に係るフィルター装置の一実施形態を示すものである。
【００３０】
図示するフィルター装置は、台所に設置されたフィルター装置１を示すものであり、天井壁１５に下向きに直付けされたレンジフード（枠体）２と、レンジフード２の前面３ａに宛がわれたシート状のフィルター４と、フィルター４の周囲をレンジフード２との間に挟んで固定するフィルター取付具５とからなっている。
【００３１】
レンジフード２は、強磁性体である鉄を構成材料とし、プレス加工により鉄板を打ち抜いた後、折り曲げ加工し、必要に応じて補強部材を溶接して形成されている。このレンジフード２は、奥行きのある受け口３を有し、箱型を成している。受け口３は、空気吸入口に相当し、下向きに開口形成されている。受け口３の背面側には、ダクト１６が連通して設けられている。油煙は、図示しないファンを回転することにより、受け口３から吸入され、ダクト１６を通って、図示しない排気口から外に排出されるようになっている。
【００３２】
フィルター４は、例えばポリエステル樹脂を構成材料とする難燃性の不織布であり、ロール状のフィルター素材から所定寸法に裁断して得られたものである。裁断されたフィルター４は、薄いシート状をなし、柔軟性を有している。フィルター４の寸法は任意であるが、本実施形態のフィルター４は、レンジフード２の前面３ａ及び内側面３ｂを内側から覆い、Ｕターン状に折り返される端部４ａを有する寸法に裁断されている。なお、フィルター４の材質、メッシュ、厚みは任意であり、対象とされるレンジフード２などの枠体の形状、用途により定められる。
【００３３】
フィルター取付具５は、レンジフード２の内側面３ｂにフィルター４を押し付けて固定する部品であり、レンジフード２に磁力で吸引される磁石６と、磁石６に着脱自在に取り付けられるピン付きのカバー体７とからなっている。
【００３４】
このフィルター取付具５を用いて、レンジフード２にフィルター４を取り付ける際は、フィルター４をレンジフード２の前面３ａ及び内側面３ｂに位置合わせした状態に宛がい、レンジフード２とフィルター取付具５との間でフィルター４の端部４ａをはみ出させた状態でフィルター４の周囲をフィルター取付具５で固定する。そして、レンジフード２の内側面３ｂに沿って垂れ下がったフィルター４の端部４ａをフィルター取付具５の上側にＵターン状に折り返し、フィルター４の端部４ａにフィルター取付具５のピン（ピン状保持部）９を突き通して引っ掛ける。こうして、フィルター取付具５は、その露出面がフィルター４の端部４ａで覆われ、油などがフィルター取付具５に付着することが防止される。なお、ここで、フィルター取付具５の上側とはピン９が設けられた側と定め、下側とは一対の折曲片８ｄ，８ｄの折れ曲がった方向と定めることとする。
【００３５】
次に、図２〜図４に基づいて、フィルター取付具５を詳細に説明する。フィルター取付具５の磁石６は、通常用いられる磁石であり、アルニコ磁石、フェライト磁石、希土類系磁石、ボンド系磁石等の種々の磁石を適用することができる。磁石６の寸法形状は、任意であり、本実施形態の直方体形状に限るものではなく、用途に応じて形状が定められている。
【００３６】
カバー体７は、主体部８と、ピン９とからなっている。主体部８は、例えば鉄板などの基板からプレス加工にて打ち抜いた素材片を折り曲げ加工することにより成形されており、ピン９を保持しつつ、ピン９を磁石に固定する部分である。本実施形態の主体部８は、平坦な基部８ａと、基部８ａの両端が同方向に折り曲げられて、磁石６を幅方向両側から弾性的に狭持する一対の折曲片８ｄ，８ｄとを有し、コ字状断面をなしている。一対の折曲片８ｄ，８ｄは、根元側を支点として内側及び外側にたわみ可能である。
【００３７】
図２に示すように、主体部８の長さＬ１は、磁石６の長さＬ２より短い長さに形成されている。主体部８は、磁石６の中央部に位置合わせされ、磁石６の両端が主体部８から露出した格好で、磁石６と主体部８とが固定されている。主体部８の長さＬ１は任意であり、磁石６から主体部８が不用意に外れない寸法に定められている。一例として、本実施形態の主体部８の長さＬ１は１０ｍｍ、磁石６の長さＬ２は２０ｍｍである。
【００３８】
一対の折曲片８ｄ，８ｄは、根元側から先端側にかけて、やや内側に傾斜しており、一対の折曲片８ｄ，８ｄの間隔Ｗ１（図３）は、磁石６の幅Ｗ２（図３）よりやや狭くなっている。このため、磁石６をカバー体７に取り付ける際は、一対の折曲片８ｄ，８ｄをその根元側を支点として外側に撓ませつつ、一対の折曲片８ｄ，８ｄの間に磁石６を配置し、一対の折曲片８ｄ，８ｄが元形状に戻ろうとする弾性復元力に抗して磁石６を所定位置までスライドさせることで、磁石６をカバー体７に固定することができるようになっている。一例として、本実施形態の一対の折曲片８ｄ，８ｄの間隔Ｗ１は９．９ｍｍ、磁石６の幅Ｗ２は１０ｍｍである。
【００３９】
図３に示すように、一対の折曲片８ｄ，８ｄの脚の長さＨ１は、磁石６の高さＨ２と同程度の長さに形成されている。このため、レンジフード２の板面に対する磁石６の固定面は、カバー体７と略同一面となり、磁石６の固定面とレンジフード２の板面との間に隙間が形成されず、磁石６がレンジフード２に強い力で吸引される。一例として、本実施形態の一対の折曲片８ｄ，８ｄの脚の長さＨ１と磁石６の高さＨ２は、ともに４ｍｍである。
【００４０】
ピン９は、便宜的にベース部分８と同じ金属材料から作られ、基部８ａの外面の中央に直立した姿勢、すなわち、垂直に接合されている。このように、ピン９を基部８ａに直立姿勢で突設することで、フィルター取付具５の向きによってピン９が下向きになることを回避することができる。このため、ピン９はレンジフード２の内側面３ｂに対して常に垂直となり、折り返されたフィルター４の端部４ａにピン９を突き通し易くなり、フィルター４の交換作業性が向上する。
【００４１】
ピン９とベース面８ａの接合方法は任意であるが、例えば、ピン９を基部８ａの中央に穿設された孔部に挿通し、裏面から突出した部分を押し潰して接合したり、ピン９の根元側と基部８ａとを溶接したり、ピン９を基部８ａの孔部に圧入して固定したりすることができる。
【００４２】
ピン９の略中央部には、凹部９ａが形成されている。この凹部９ａは、ピン９の突出長さの略半分の長さに形成され、凹部９ａの深さは、ピン９の直径の約半分の深さに形成されている。ピン９の先端は、ピン９にフィルター４を突き通し易いように丸みを帯びている。なお、ピン９の突出長さや凹部９ａの寸法形状は任意であり、この実施形態に制約されるものではない。また、ピン９の先端を尖端として、フィルター４をより突き通し易くすることもできる（図５参照）。一例として、本実施形態のピン９の突出長さは１２ｍｍ、ピン９の直径はφ２．３ｍｍである。
【００４３】
以上のように、本実施形態のフィルター取付具を用いたフィルター装置によれば、ピン９がＵターン状に折り返されたフィルター４の端部４ａを突き通して保持することで、フィルター取付具５の露出面がフィルター４の端部４ａで覆われ、フィルター取付具５に油などが付着することを防止できる。また、フィルター取付具５のカバー体７と磁石６を着脱可能に取り付け／取り外すことができ、カバー体７と磁石６との製作作業性を向上することができる。
【００４４】
次に、図４に示すように、フィルター取付具の第２の実施形態について説明する。本実施形態と図２に示す第１の実施形態の共通する構成部分については、同一符号を付して説明を省略する。
【００４５】
本実施形態のフィルター取付具５Ａは、カバー体７Ａの長さＬ１′が磁石の長さＬ１と同程度の長さに形成されたものである。また、カバー体７Ａの前端８ｂから後端８ｃに向かって、一対の折曲片８ｄ′，８ｄ′の対向する間隔が狭持される磁石６の幅Ｗ２より漸次狭くなっている点が、図２に示すフィルター取付具５と相違している。
【００４６】
カバー体７Ａが長くなることで、カバー体７Ａが磁石６により強い力で固定されるとともに、磁石６の磁束がより集中して、磁石６がレンジフード２の内側面３ｂにより強い力で固定される。一例として、本実施形態のカバー体７Ａの長さＬ１′と磁石の長さＬ１は、ともに２０ｍｍである。
【００４７】
また、図５（ｃ）に示すように、一対の折曲片８ｄ′，８ｄ′の後端側の間隔Ｗ１′を挿入端である先端側の間隔Ｗ１より狭くすることで、すなわち、間隔Ｗ１＞間隔Ｗ１′の関係にすることで、ベース部分８のベース面８ａの幅を変えずに、幅Ｗ２の磁石６に折曲片８ｄ′の３次元方向のばね力を作用させることができる。
【００４８】
この場合、基部８ａの幅は変わらないから、磁石６が主体部８′に固定された状態において、相対向する一対の折曲片８ｄ′，８ｄ′の間隔が狭い後端側では折曲片８ｄ′，８ｄ′が大きく開き、他方、相対向する一対の折曲片８ｄ′，８ｄ′の間隔が広い前端側では、折曲片８ｄ′，８ｄ′が小さく開き、一対の折曲片８ｄ′，８ｄ′の内面全体が磁石６の側面６ａに広い面積で接触する。このため、カバー体７Ａの挿入端側から磁石６をスライド挿入し易くなると共に、磁石６とベース部分８′の保持力をより強くすることができる。一例として、本実施形態の一対の折曲片８ｄ′，８ｄ′の先端側の間隔Ｗ１は９．９ｍｍ、一対の折曲片８ｄ′，８ｄ′の後端側の間隔Ｗ１′は９．７ｍｍ、磁石６の幅Ｗ２は１０ｍｍである。
【００４９】
一対の折曲片８ｄ′，８ｄ′の先端側内面には、狭持された磁石６の側面６ａに食い込む突起８ｅが形成されている。この突起８ｅが、磁石６の側面６ａに食い込むことで、一対の折曲片８ｄ′，８ｄ′の間に狭持された磁石６が確実に抜け止めされ、レンジフード２からフィルター取付具５Ａを外す際に不用意に磁石６とカバー体７Ａとが分離することが防止される。なお、本発明は、突起８ｅの位置を限定するものではなく、折曲片８ｄ′の中央部内面や基部側内面に設けることもできる。特に、本実施形態のように、先端側内面に設けた場合は、より強い力で突起８ｅを磁石６の側面６ａに食い込ませることができる。
【００５０】
次に、図４に示すカバー体７Ａの主体部８′の変形例を図６に示す。この変形例のカバー体７Ｂは、根元側から先端側に掛けて内向きに曲がっている一対の折曲片８ｄ″，８ｄ″の先端側部分を、さらに内側に強く曲げたものである。このように、一対の折曲片８ｄ″，８ｄ″を２段階に内側に曲げることで、先端側のばね力が強くなり、突起８ｅを磁石６の側面６ａにより強く食い込ませることができ、磁石６にカバー体７Ｂをより確実に固定することができる。
【００５１】
なお、本発明は上記実施形態に限定されるものではなく、本発明の骨子を逸脱しない範囲で種々変形して実施することができる。例えば、本実施形態では、フィルター４をレンジフード２に取り付ける場合について説明したが、フィルター４を枠体としての換気扇や空気清浄機等に取り付けることも可能である。
【００５２】
また、フィルター取付具５，５Ａのピン状保持部は、真直のピン９に限定されるものではなく、フィルター４の端部を引っ掛けて固定するフックのようなものであってもよい。
【００５３】
また、ピン９には、係止部としての凹部９ａが形成されているが、凹部９ａを凸部とすることも可能である。また、ピン９の表面を鋸歯状の凹凸面とすることも可能である。
【００５４】
また、カバー体７，７Ａ，７Ｂは、磁石６に着脱自在に固定されるようになっているが、カバー体の一対の折曲片を内側に加締めて磁石６とカバー体とを、一体的に固定することも可能である。この方法を適用した場合であっても、磁石６とカバー体とを接着で固定する場合と比較して、フィルター取付具の製作を容易に行うことができる。
【図面の簡単な説明】
【００５５】
【図１】本発明に係るフィルター装置の一実施形態を示す断面図である。
【図２】図１のフィルター装置に用いられる本発明に係るフィルター取付具の第１の実施形態を示す斜視図である。
【図３】図２のフィルター取付具を分解した斜視図である。
【図４】本発明に係るフィルター取付具の第２の実施形態を示す斜視図である。
【図５】図４のカバー体を示し、（ａ）は正面図、（ｂ）は側面図、（ｃ）は底面図である。
【図６】図５のカバー体の変形例を示す斜視図である。
【図７】従来のフィルター取付方法の一例を説明する斜視図である。
【図８】従来のフィルター装置の一例を示す断面図である。
【符号の説明】
【００５６】
１    フィルター装置
２    レンジフード（枠体）
３ｂ    内側面
４    フィルター
４ａ    端部
５，５Ａ    フィルター取付具
６    磁石
７，７Ａ，７Ｂ    カバー体
８，８′，８″    主体部
８ｄ，８ｄ′，８ｄ″    折曲片
９    ピン（ピン状保持部）
９ａ    凹部
【図１】
2006250428.tif 000003
【図２】
2006250428.tif 000004
【図３】
2006250428.tif 000005
【図４】
2006250428.tif 000006
【図５】
2006250428.tif 000007
【図６】
2006250428.tif 000008
【図７】
2006250428.tif 000009
【図８】
2006250428.tif 000010